(57)【要約】  この表示装置（１０）は、カラーセンサ（１１）と表示装置（１０）との接触位置を検出するカラーセンサ位置検出部（１２）と、カラーセンサ位置検出部（１２）が検出する接触位置に基づいてカラーセンサ（１１）の位置ずれが生じたか否か判定する制御演算部（１３）とを備える。
2014064749.tif 000002
【特許請求の範囲】
【請求項１】
カラーセンサと表示装置との接触位置を検出するカラーセンサ位置検出部と、
前記カラーセンサ位置検出部において検出した接触位置に基づいて前記カラーセンサの位置ずれが生じたか否か判定する制御演算部と、
を備える表示装置。
【請求項２】
前記制御演算部が前記カラーセンサの位置ずれが生じたと判定した場合、ユーザに位置ずれの発生を通知する通知部
をさらに備える請求項１に記載の表示装置。
【請求項３】
前記制御演算部は、前記カラーセンサの位置ずれが生じた場合、カラーキャリブレーションを停止する
請求項１又は請求項２に記載の表示装置。
【請求項４】
カラーセンサと表示装置との接触位置を検出するカラーセンサ位置検出ステップと、
前記カラーセンサ位置検出ステップにおいて検出した接触位置に基づいて前記カラーセンサの位置ずれが生じたか否か判定する制御演算ステップと、
を有するカラーキャリブレーション方法。
【発明の詳細な説明】
【技術分野】
【０００１】
本発明は、表示装置が表示する色のカラーキャリブレーションにおいて、外付けカラーセンサの位置ずれ検出の技術に関する。
【背景技術】
【０００２】
近年、デジタルカメラ、スキャナ、プリンタ、ディスプレイなどの異なる装置における色を合わせるカラーマネジメントが一般的になってきている。例えば、プロの写真制作、映像制作の現場で使用されるディスプレイにおいては、表示色のカラーキャリブレーションのためのカラーセンサを外付けしカラーキャリブレーションを行う方法が知られている（例えば、特許文献１参照）。
【先行技術文献】
【特許文献】
【０００３】
【特許文献１】特開２０１０−１６９９２２号公報
【発明の概要】
【発明が解決しようとする課題】
【０００４】
しかしながら、表示装置の外部にカラーセンサを取り付けてカラーキャリブレーションを実施する場合、表示装置とカラーセンサとの接触位置が予期しない衝撃、振動などの外因によりずれてしまい、キャリブレーション結果の精度に悪影響を与えるという問題がある。
また、カラーキャリブレーションにはある程度の時間がかかるため、ユーザはカラーキャリブレーション実施中にその場を離れることがある。ユーザがその場を離れている間に表示装置とカラーセンサとの接触位置がずれてしまうと、ユーザは気付くことができない。その結果、カラーキャリブレーションを最初からやり直さなければならないという問題もある。【０００５】
本発明は、上記問題を解決すべくなされたもので、その目的は、表示装置に外付けされたカラーセンサの位置ずれを検出する技術を提供することにある。
【課題を解決するための手段】
【０００６】
上記問題を解決するために、本発明は、カラーセンサと表示装置との接触位置を検出するカラーセンサ位置検出部と、前記カラーセンサ位置検出部において検出した接触位置に基づいて前記カラーセンサの位置ずれが生じたか否か判定する制御演算部と、を備える表示装置である。【０００７】
また、本発明は、カラーセンサと表示装置との接触位置を検出するカラーセンサ位置検出ステップと、前記カラーセンサ位置検出ステップにおいて検出した接触位置に基づいて前記カラーセンサの位置ずれが生じたか否か判定する制御演算ステップと、を有するカラーキャリブレーション方法である。
【発明の効果】
【０００８】
この発明によれば、表示装置におけるカラーキャリブレーションにおいて、カラーセンサと表示装置との接触位置を検出することにより、キャリブレーションの精度低下を防止することができる。
【図面の簡単な説明】
【０００９】
【図１】本発明における表示装置の一実施態様を示す図である。
【図２】本発明の一実施形態に係る表示装置の概略構成を示した図である。
【図３】同実施形態における表示装置の電気的なブロック図である。
【図４Ａ】同実施形態における表示装置のカラーキャリブレーション実施中の様子を示す説明図である。
【図４Ｂ】同実施形態における表示装置のカラーキャリブレーション実施中にカラーセンサの位置ずれが生じた様子を示す説明図である。
【図５】同実施形態における表示装置のカラーセンサ位置ずれ検出処理を説明するためのフローチャートである。
【発明を実施するための形態】
【００１０】
以下、本発明を実施するための態様について、図面を参照して説明する。
図１は、本発明における表示装置の一実施態様を示すブロック図である。
カラーセンサ位置検出部１２は、カラーセンサ１１と表示装置１０との接触位置を検出する。制御演算部１３は、カラーセンサ位置検出部１２が検出する接触位置に基づいてカラーセンサ１１の位置ずれが生じたか否か判定する。表示装置１０は、上記の結果を用いてカラーキャリブレーションを行う。
【００１１】
図２は、本発明の一実施形態に係る表示装置１の概略構成を示した図である。
表示装置１は図２に示すように、外付けのカラーセンサ２と、センサ固定部品３と、垂直方向の位置検出センサ４ａと、水平方向の位置検出センサ４ｂとを備える。表示装置１は、例えば液晶ディスプレイである。カラーセンサ２は、例えばＵＳＢ接続の外付け用カラーセンサであり、表示装置１が表示する色の情報（以下、「色情報」という。）を検出する。センサ固定部品３は、例えばテープのような接着部品でありカラーセンサ２を表示装置１に固定する。位置検出センサ４は、例えばホールセンサでありカラーセンサ２と表示装置１の接触位置を検出する。
【００１２】
図３は、本実施形態における表示装置１の電気的なブロック図である。
表示装置１は、制御演算部２１、記憶部２２、表示部２３、カラーセンサ位置検出部２４、入力インタフェース部２５、音声出力部２６を備える。
【００１３】
制御演算部２１は、制御に必要な演算を行い、図３に示した制御演算部２１を除く各部を制御する。例えば、制御演算部２１は、カラーセンサ位置検出部２４から出力される位置データに基づいてカラーセンサ２に位置ずれが発生したか否かを判定する。
記憶部２２は、制御演算部２１によって実行される各種プログラムや制御及び演算で使用されるデータを記憶する。プログラムは、例えばＯＳＤ（Ｏｎ  Ｓｃｒｅｅｎ  Ｄｉｓｐｌａｙ）による設定プログラム、カラーキャリブレーションプログラム、カラーセンサ位置ずれ検出プログラム等を含む。
表示部２３は、画像や文字、及びアプリケーションソフトウェア操作画面などを表示する。また、表示部２３は通知部としても機能する。例えば、表示部２３は、カラーセンサ２の位置ずれ発生の警告メッセージをＯＳＤ（Ｏｎ  Ｓｃｒｅｅｎ  Ｄｉｓｐｌａｙ）に表示し、ユーザへ通知する。
カラーセンサ位置検出部２４は、位置検出センサ４が検出するカラーセンサ２の位置データを制御演算部２１に出力する。
入力インタフェース部２５は、キーボードやマウス及びカラーセンサ等の入力装置が接続され、制御演算に必要な各種情報が入力される。本実施形態では、入力インタフェース部２５にキーボード及びカラーセンサ２が接続されているものとして説明を行う。
音声出力部２６は、カラーセンサ位置検出部２４から出力される位置データに基づいて制御演算部２１が位置ずれ発生と判定した場合、アラーム音を出力する。すなわち、音声出力部２６は通知部として機能する。
【００１４】
なお、本実施形態では、表示部２３と音声出力部２６とが、カラーセンサ２の位置ずれ発生をユーザに通知する構成について説明した。しかし、これに限ることなく、どちらか一方がカラーセンサ２の位置ずれ発生をユーザに通知するようにしてもよい。また、通知方法は、表示装置１が備える構成によって限定されなくてもよい。例えば、表示装置１がネットワークに接続している場合、ユーザが所有する携帯端末等へカラーセンサ２の位置ずれ発生を知らせる電子メールを送信するようにしてもよい。
【００１５】
図４Ａは、本実施形態における表示装置１のカラーキャリブレーション実施中の様子を示す説明図である。
図４Ｂは、本実施形態における表示装置１のカラーキャリブレーション実施中にカラーセンサの位置ずれが生じた様子を示す説明図である。
図４Ａに示す外付けカラーセンサ付表示装置１では、カラーセンサ２は予め定められた位置に固定されており、カラーキャリブレーションが正常に行われている。
一方、図４Ｂに示す外付けカラーセンサ付表示装置１では、カラーキャリブレーションの途中でカラーセンサ２の位置ずれが発生している。具体的には、外部環境からの振動や衝撃によりセンサ固定部品３の固定位置がずれ、カラーセンサ２と表示装置１との接触位置にずれが生じている。この状態でカラーキャリブレーションを継続した場合、カラーキャリブレーションの精度低下や異常を含む結果をもたらす。
本実施形態における表示装置１は、垂直方向の位置検出センサ４ａと水平方向の位置検出センサ４ｂを備えることでカラーセンサ２と表示装置１との接触位置を検出することができる。
【００１６】
図５は、本実施形態における表示装置１のカラーセンサ位置ずれ検出処理を説明するためのフローチャートである。
表示装置１におけるカラーセンサ位置ずれ検出処理について、図５のフローチャートを参照して説明する。
カラーセンサ位置ずれ検出処理が開始されるにあたり、制御演算部２１は記憶部２２が記憶するカラーセンサ位置ずれ検出プログラムを実行する。
【００１７】
入力インタフェース部２５に接続されるキーボード等の入力装置を介してセンサ位置の算出周期が設定され、記憶部２２が設定値を記憶する（ステップＳ４０１）。
【００１８】
制御演算部２１は、カラーセンサ位置ずれ検出プログラムにおいて操作ボタンとして表示される検出開始ボタンが押下されることによってカラーセンサ位置ずれ検出処理を開始する（ステップＳ４０３）。
【００１９】
制御演算部２１は、カラーセンサ位置検出部２４が位置検出センサ４から得る位置データによりカラーセンサ２の初期位置データを算出する（ステップＳ４０５）。記憶部２２は、算出された初期位置データを記憶する。
【００２０】
制御演算部２１は、記憶部２２が記憶するカラーキャリブレーションプログラムを実行する（ステップＳ４０７）。
【００２１】
制御演算部２１は、カラーセンサ位置ずれ検出プログラムにおける検出停止ボタンが押下されたか否かを判定する（ステップＳ４０９）。
検出停止ボタンが押下された場合（ステップＳ４０９：ＹＥＳ）、制御演算部２１は処理を終了する。
【００２２】
一方、検出停止ボタンが押下されない場合（ステップＳ４０９：ＮＯ）、制御演算部２１は、カラーセンサ位置検出部２４が位置検出センサ４ｂから得るデータによりカラーセンサ２の水平方向の位置を算出する（ステップＳ４１１）。
【００２３】
制御演算部２１は、カラーセンサ位置検出部２４が位置検出センサ４ａから得るデータによりカラーセンサ２の垂直方向の位置を算出する（ステップＳ４１３）。制御演算部２１は、カラーセンサ２の垂直方向の位置データと水平方向の位置データとからカラーセンサ２の位置データを算出する。
【００２４】
制御演算部２１は、センサ位置を測定してからの経過時間が設定した周期の時間となったか否かを判定する（ステップＳ４１５）。
経過時間が設定した周期の時間となった場合（ステップＳ４１５：ＹＥＳ）、ステップＳ４０９に戻る。
【００２５】
一方、経過時間が設定した周期の時間に満たない場合（ステップＳ４１５：ＮＯ）、制御演算部２１は、記憶部２２が記憶しているカラーセンサの初期位置データを参照し、初期位置データと算出した位置データとが同一か否かを判定する（ステップＳ４１７）。なお、判定基準は、必ずしも完全な同一位置であることを必要としない。例えば、予め設定された許容誤差の閾値に基づいて判定してもよい。
【００２６】
ステップＳ４１７の処理において、カラーセンサ２の初期位置データと算出した位置データとが同じでない場合（ステップＳ４１７：ＮＯ）、制御演算部２１は、表示部２３においてＯＳＤの表示によりセンサ位置ずれについて警告メッセージを表示する。あわせて制御演算部２１は、音声出力部２６よりアラーム音を鳴動させる（ステップＳ４１９）。
【００２７】
制御演算部２１は、カラーキャリブレーションプログラムが動作中か否かを判定する（ステップＳ４２１）。
カラーキャリブレーションプログラムが動作中の場合（ステップＳ４２１：ＹＥＳ）、制御演算部２１は、カラーキャリブレーションプログラムを停止し（ステップＳ４２３）、ステップＳ４０９に戻る。
一方、カラーキャリブレーションプログラムが動作中でない場合（ステップＳ４２１：ＮＯ）、ステップＳ４０９に戻る。
【００２８】
ステップＳ４１７の処理において、カラーセンサ２の初期位置データと算出した位置データとが同じ場合（ステップＳ４１７：ＹＥＳ）、制御演算部２１は、表示部２３が位置ずれの警告を表示しているか否かを判定する（ステップＳ４２５）。
位置ずれの警告が表示されている場合（ステップＳ４２５：ＹＥＳ）、制御演算部２１は、表示部２３においてＯＳＤの表示によりセンサ位置ずれ解消のメッセージを表示する。あわせて制御演算部２１は、音声出力部２６より出力されているアラーム音を停止させる（ステップＳ４２７）。
【００２９】
制御演算部２１は、カラーキャリブレーションプログラムを再開し（ステップＳ４２９）、ステップＳ４０９に戻る。
【００３０】
一方、ステップＳ４２５の処理において、位置ずれの警告が表示されていない場合（ステップＳ４２５：ＮＯ）、ステップＳ４０９に戻る。
【００３１】
以上より、本実施形態における表示装置１によれば、カラーキャリブレーション実施において、カラーセンサ２と表示装置１との接触位置を検出することが可能となる。また、カラーセンサ２の位置のずれが検出された場合、ユーザに異常を知らせることができる。
上記の結果として、表示装置１のカラーキャリブレーションにおいて、カラーセンサ２と表示装置１との接触位置を検出することによりカラーキャリブレーション精度の低下を防止することができる。
【００３２】
また、図１における外付けカラーセンサ付表示装置の機能を実現するためのプログラムをコンピュータ読み取り可能な記録媒体に記録して、この記録媒体に記録されたプログラムをコンピュータシステムに読み込ませ、実行することにより施工管理を行ってもよい。なお、ここでいう「コンピュータシステム」とは、ＯＳや周辺機器等のハードウェアを含むものとする。
【００３３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００３４】
以上、この発明の実施形態について図面を参照して詳述してきたが、具体的な構成はこの実施形態に限られるものではなく、この発明の要旨を逸脱しない範囲の設計等も含まれる。
【符号の説明】
【００３５】
１，１０  表示装置
２，１１  カラーセンサ
３  センサ固定部品
４  位置検出センサ
４ａ  （垂直方向）位置検出センサ
４ｂ  （水平方向）位置検出センサ
１２，２４  カラーセンサ位置検出部
１３，２１  制御演算部
２２  記憶部
２３  表示部
２５  入力インタフェース部
２６  音声出力部
【図１】
2014064749.tif 000003
【図２】
2014064749.tif 000004
【図３】
2014064749.tif 000005
【図４Ａ】
2014064749.tif 000006
【図４Ｂ】
2014064749.tif 000007
【図５】
2014064749.tif 000008
【国際調査報告】
2014064749.tif 000009
2014064749.tif 000010